(57)【要約】【課題】電子機器を使用するユーザの利便性を向上する電子機器を提供する。【解決手段】電子機器は、機能部（１１５等）と、前記機能部が備える機能を発揮可能な外部機器（２０）が所定の範囲内に存在するか否かを判定する判定部（１４０）と、前記判定の結果に応じて、前記機能部に関連する情報の送信を前記外部機器に対して要求する要求部（１４０）と、要求した前記機能部に関連する情報を前記外部機器から受信する受信部（１２６，１４０）と、前記機能部に関連する情報に基づく制御を行う制御部（１４０）と、を備える。【選択図】図１
2015043533.tif 000002
【特許請求の範囲】
【請求項１】
機能部と、
前記機能部が備える機能を発揮可能な外部機器が所定の範囲内に存在するか否かを判定する判定部と、
前記判定の結果に応じて、前記機能部に関連する情報の送信を前記外部機器に対して要求する要求部と、
要求した前記機能部に関連する情報を前記外部機器から受信する受信部と、
前記機能部に関連する情報に基づく制御を行う制御部と、
を備えることを特徴とする電子機器。
【請求項２】
前記判定の結果に応じて、前記機能部の動作を規制する規制部を備えることを特徴とする請求項１に記載の電子機器。
【請求項３】
前記要求部は、ユーザによる所定の操作を検知した場合に、前記機能部に関連する情報の送信を前記外部機器に対して要求することを特徴とする請求項１又は２に記載の電子機器。
【請求項４】
前記要求部は、ユーザにより前記電子機器の電源がオンされた場合に、前記機能部に関連する情報の送信を前記外部機器に対して要求する請求項１から３のいずれか１項記載の電子機器。
【請求項５】
前記機能部は、被写体を撮像する撮像部を含み、
前記制御部は、前記外部機器から受信した前記機能部に関連する情報に基づいて前記撮像部による撮像に用いられる設定を変更することを特徴とする請求項１から４のいずれか１項記載の電子機器。
【請求項６】
前記機能部に関連する情報は、位置に関する情報、色温度情報、及び、日時に関する情報の少なくとも１つを含むことを特徴とする請求項１から５のいずれか１項記載の電子機器。
【請求項７】
前記機能部は、被写体を撮像する撮像部を含み、
前記機能部に関連する情報は、前記外部機器が撮像した第１画像を含み、
前記制御部は、前記第１画像と、前記撮像部が撮像した第２画像とを関連付けて記憶部に記憶することを特徴とする請求項１記載の電子機器。
【請求項８】
前記判定部は、人体通信、または、近接通信により前記外部機器が所定の範囲内に存在するか否かを判定する請求項１から７のいずれか１項記載の電子機器。
【発明の詳細な説明】
【技術分野】
【０００１】
本発明は、電子機器に関する。
【背景技術】
【０００２】
携帯通信端末を用いて、良好なカメラ撮影を可能にするカメラ撮影支援システムが提案されている（例えば、特許文献１）。
【先行技術文献】
【特許文献】
【０００３】
【特許文献１】特開２０１０−１３００３７号公報
【発明の概要】
【発明が解決しようとする課題】
【０００４】
しかしながら、特許文献１に記載のカメラ撮影支援システムでは、カメラを使用するユーザの利便性が十分に考慮されているとはいえなかった。
【０００５】
そこで、本発明は上記の課題に鑑みてなされたものであり、電子機器を使用するユーザの利便性を向上することを目的とする。
【課題を解決するための手段】
【０００６】
本発明の電子機器（１０）は、機能部（１１５等）と、前記機能部が備える機能を発揮可能な外部機器（２０）が所定の範囲内に存在するか否かを判定する判定部（１４０）と、前記判定の結果に応じて、前記機能部に関連する情報の送信を前記外部機器に対して要求する要求部（１４０）と、要求した前記機能部に関連する情報を前記外部機器から受信する受信部（１２６，１４０）と、前記機能部に関連する情報に基づく制御を行う制御部（１４０）と、を備える。
【０００７】
この場合において、本発明の電子機器は、前記判定の結果に応じて、前記機能部の動作を規制する規制部（１４０）を備えていてもよい。また、前記要求部は、ユーザによる所定の操作を検知した場合に、前記機能部に関連する情報の送信を前記外部機器に対して要求することとしてもよい。また、前記要求部は、ユーザにより前記電子機器の電源がオンされた場合に、前記機能部に関連する情報の送信を前記外部機器に対して要求することとしてもよい。
【０００８】
また、本発明の電子機器では、前記機能部は、被写体を撮像する撮像部を含み、前記制御部は、前記外部機器から受信した前記機能部に関連する情報に基づいて前記撮像部による撮像に用いられる設定を変更することとしてもよい。また、前記機能部に関連する情報は、位置に関する情報、色温度情報、及び、日時に関する情報の少なくとも１つを含むこととしてもよい。
【０００９】
また、本発明の電子機器では、前記機能部は、被写体を撮像する撮像部を含み、前記機能部に関連する情報は、前記外部機器が撮像した第１画像を含み、前記制御部は、前記第１画像と、前記撮像部が撮像した第２画像とを関連付けて記憶部（１１９）に記憶することとしてもよい。また、前記判定部は、人体通信、または、近接通信により前記外部機器が所定の範囲内に存在するか否かを判定することとしてもよい。
【００１０】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１１】
本発明の電子機器は、電子機器を使用するユーザの利便性を向上させることができるという効果を奏する。
【図面の簡単な説明】
【００１２】
【図１】第１の実施形態に係る電子機器システムの構成を示すブロック図である。
【図２】第１の実施形態に係る撮像装置が実行する、携帯機器との連携処理の一例を示すフローチャートである。
【図３】第１の実施形態に係る撮像装置が実行する、撮像装置の電源がオンされた時の処理の一例を示すフローチャートである。
【図４】第１の実施形態に係る撮像装置が実行する、撮像処理の一例を示すフローチャートである。
【図５】第１の実施形態に係る撮像装置が実行する、携帯機器との連携処理の変形例を示すフローチャートである。
【図６】第１の実施形態に係る撮像装置が実行する、携帯機器との連携処理の他の変形例を示すフローチャートである。
【図７】第２の実施形態に係る情報処理システムの構成を示すブロック図である。
【図８】第２の実施形態に係る撮像装置が実行する、携帯機器との連携処理の一例を示すフローチャートである。
【図９】第２の実施形態に係るパーソナルコンピュータが実行する、画像の差替え処理の一例を示すフローチャートである。
【図１０】図９の処理を説明するための図である。
【発明を実施するための形態】
【００１３】
《第１の実施形態》
以下、第１の実施形態に係る電子機器システムについて、図１〜図６に基づいて詳細に説明する。図１には、第１の実施形態に係る電子機器システム５００の構成が示されている。電子機器システム５００は、図１に示すように、撮像装置１０と、携帯機器２０と、を備える。電子機器システム５００は、携帯機器２０を利用して、撮像装置１０を使用するユーザの利便性を向上させるシステムである。
【００１４】
（撮像装置１０）
撮像装置１０は、カメラであって、一眼レフカメラ、ミラーレスカメラ、およびコンパクトカメラのいずれであってもよいが、本実施形態では、一眼レフカメラであるものとする。
【００１５】
撮像装置１０は、図１に示すように、レンズ部１０２、レンズ駆動部１０４、撮像素子１０５、Ａ／Ｄ（Analog/Digital）変換部１０６、画像処理部１０７、表示部１０９、操作部１１３、位置検出部１１５、カレンダ部１１７、記憶部１１９、マイク１２１、スピーカ１２３、通信ユニット１２４、角速度センサ１２７、方位センサ１２８、加速度センサ１２９、及び制御部１４０を備える。なお、本実施形態においては、撮像装置１０の不図示のメインスイッチ（電源）がオフの場合、制御部１４０及び加速度センサ１２９などの一部を除き、不図示の電源回路からの各部への電力供給が停止されている。
【００１６】
レンズ部１０２は、ズームレンズやフォーカシングレンズを含む複数のレンズ群で構成され、被写体像を撮像素子１０５の撮像面に結像させる。
【００１７】
レンズ駆動部１０４は、例えばモータやアクチュエータなどを備え、後述する操作部１１３が備えるレリーズスイッチの操作に応じてフォーカシング（オートフォーカス）を行うためにレンズ部１０２を駆動する。なお、レンズ部１０２およびレンズ駆動部１０４は、撮像装置１０からの取り外しや、交換が可能であってもよい。
【００１８】
撮像素子１０５は、受光素子が撮像面に二次元配列されたＣＭＯＳ（Complementary Metal Oxide Semiconductor）イメージセンサ等を備え、アナログ画像信号を生成する。
【００１９】
Ａ／Ｄ変換部１０６は、撮像素子１０５が生成したアナログ画像信号をデジタル画像信号に変換し、画像処理部１０７および制御部１４０に出力する。
【００２０】
画像処理部１０７は、Ａ／Ｄ変換部１０６から入力されたデジタル画像信号に対して、各種の画像処理（色補間処理、階調変換処理、輪郭強調処理、ホワイトバランス調整処理、画像圧縮処理、画像伸張処理など）を行う回路である。画像処理部１０７によって処理された画像データ（例えば、サムネイル表示用データや、このサムネイル表示用データよりも解像度の高い本画像データなど）は、制御部１４０の制御の下、表示部１０９に表示されたり、記憶部１１９に記憶される。
【００２１】
表示部１０９は、例えば、ＬＣＤ（Liquid Crystal Display）であり、撮像装置１０に対する各種の設定情報や、撮像装置１０を操作するための操作メニュー、アイコンなどを表示する。また、表示部１０９は、画像処理部１０７の出力に基づくライブビュー画像（スルー画像）や、後述する記憶部１１９に記録されている静止画像や動画像を表示する。
【００２２】
操作部１１３は、タッチパネル１１１とスイッチ１１２とを備える。タッチパネル１１１は、例えば、表示部１０９上に設けられ、又は表示部１０９内に組み込まれ、表示部１０９の表面に対するユーザの接触操作を検出し、種々の情報入力を受け付ける。
【００２３】
スイッチ１１２は、ユーザから撮像装置１０に対する操作を受け付ける。スイッチ１１２は、例えば、静止画像の撮像を指示するためのレリーズスイッチ、表示部１０９に操作メニューを表示させるメニュスイッチ、表示部１０９に表示された操作メニューから、あるメニューを選択するための十字スイッチ（マルチセレクター）等を含む。
【００２４】
カレンダ部１１７は、年、月、日、時刻といった時間情報を取得して制御部１４０に出力する。さらに、カレンダ部１１７は、計時機能を有する。
【００２５】
記憶部１１９は、例えば、撮像装置１０に内蔵された不揮発性の半導体メモリやハードディスク、および、撮像装置１０に着脱可能なＳＤカードであり、静止画のデータや動画のデータを記憶する。また、記憶部１１９は、後述する位置検出部１１５が備えるＧＰＳ（Global Positioning System）センサが測位に用いるデータを記憶する。具体的には、記憶部１１９は、全衛星の軌道情報を含むアルマナックデータと、各衛星の正確な位置情報、各衛星の信号送信時刻情報を含むエフェメリスデータとを含む航法メッセージデータを記憶している。なお、以後の説明において、エフェメリスデータ及びアルマナックデータを含む航法メッセージデータを、ＧＰＳ関連データと記載する。
【００２６】
位置検出部１１５は、例えば、ＧＰＳセンサを有しており、上述した記憶部１１９に記憶されているＧＰＳ関連データを使用して撮像装置１０の位置を検出し、撮像装置１０の位置情報（緯度、経度）を制御部１４０に出力する。なお、位置検出部１１５は、測位を行うたびに、記憶部１１９に記憶されているＧＰＳ関連データを更新する。
【００２７】
マイク１２１は、静止画や動画を撮影したときの音声を入力する音声入力装置である。スピーカ１２３は、静止画のデータや動画のデータに関連付けられている音声データに基づいて音声を出力する音声出力装置である。
【００２８】
通信ユニット１２４は、他の機器と通信を行うものであり、例えばＢｌｕｅｔｏｏｔｈ（登録商標）、ＲＦＩＤ（Radio Frequency Identification）、ＴｒａｎｓｆｅｒＪｅｔ（登録商標）などの近接通信や、人体を介した人体通信、および無線通信などを用いることができる。本実施形態において、通信ユニット１２４は、アンテナ１２５と、アンテナ１２５を用いて近接通信を行う通信制御部１２６とを備える。本実施形態では、通信制御部１２６は、アンテナ１２５，２１８を介して後述する携帯機器２０の通信制御部２１９と通信し、携帯機器２０の記憶部２０８に記憶されているＧＰＳ関連データ（アルマナックデータ，エフェメリスデータ等）や、携帯機器２０の位置情報を受信する。
【００２９】
角速度センサ１２７は、撮像装置１０の角速度を検出し、制御部１４０に出力する。
【００３０】
方位センサ１２８は、撮像装置１０の外部からの磁気を検出し、撮像装置１０のレンズ部１０２が向けられている方位を求めるものである。方位センサ１２８により求められた方位の情報は、制御部１４０に入力され、制御部１４０の指示の下、表示部１０９に表示されたり、静止画、動画の各画像データとともに記憶部１１９に保存されたりする。
【００３１】
加速度センサ１２９は、撮像装置１０の加速度を検出する。加速度センサ１２９には、圧電素子や歪ゲージなどを用いることができる。加速度センサ１２９の軸数としては１〜３軸のいずれかを適宜選択すればよく、その数も任意に設定することができる。制御部１４０は、加速度センサ１２９の検出値に基づいて、ユーザが撮像装置１０を保持したか否かを検出することができる。なお、本実施形態では、ユーザが撮像装置１０を保持したことを常時検出できるよう、撮像装置１０の不図示のメインスイッチがオフの場合であっても、加速度センサ１２９には不図示の電源回路から電力が供給されているものとする。なお、加速度センサ１２９に代えて、生体センサを撮像装置１０の表面に設けて、この生体センサによりユーザが撮像装置１０を保持したか否かを検出するようにしてもよい。
【００３２】
制御部１４０は、ＣＰＵ（Central Processing Unit）、ＲＡＭ（Random Access Memory）、ＲＯＭ(Read Only Memory)等を備え、撮像装置１０全体を制御する。制御部１４０が実行する処理の詳細については後述する。なお、本実施形態においては、撮像装置１０のメインスイッチがオフの場合でも、制御部１４０には電源回路から電力が供給されているものとする。
【００３３】
（携帯機器２０）
携帯機器２０は、ユーザにより携帯された状態で利用される情報機器である。携帯機器２０としては、携帯電話、スマートフォン、タブレット型パソコン、ＰＨＳ（Personal Handy-phone System）、ＰＤＡ（Personal Digital Assistant）等を採用することができる。本実施形態では、携帯機器２０は、スマートフォンであるものとする。携帯機器２０は、電話機能やインターネット等に接続するための通信機能、および、プログラムを実行するためのデータ処理機能等を有する。
【００３４】
携帯機器２０は、図１に示すように、ディスプレイ２０１、操作部２０５、位置検出部２０７、カレンダ部２０９、記憶部２１１、マイク２１３、スピーカ２１５、撮像部２１６、通信ユニット２１７、角速度センサ２２０、方位センサ２２１、及び制御部２３０を備える。
【００３５】
ディスプレイ２０１は、例えば、ＬＣＤであり、画像、各種情報およびボタン等の操作入力用画像を表示する。
【００３６】
操作部２０５は、タッチパネル２０３とスイッチ２０４とを備える。タッチパネル２０３は、ユーザが触れたことに応じて情報入力を受け付ける。タッチパネル２０３は、例えば、ディスプレイ２０１上またはディスプレイ２０１内に組み込まれて設けられる。したがって、タッチパネル２０３は、ユーザがディスプレイ２０１の表面をタッチすることに応じて、種々の情報入力を受け付ける。
【００３７】
スイッチ２０４は、ユーザから携帯機器２０に対する操作を受け付ける操作部材である。
【００３８】
位置検出部２０７は、例えば、ＧＰＳセンサを有しており、後述する記憶部２１１に記憶されたＧＰＳ関連データ（アルマナックデータ及びエフェメリスデータ等）を用いて携帯機器２０の位置を検出し、携帯機器２０の位置情報（緯度、経度）を制御部２３０に出力する。
【００３９】
カレンダ部２０９は、年、月、日、時刻といった時間情報を取得して制御部２３０に出力する。さらに、カレンダ部２０９は、計時機能を有する。
【００４０】
マイク２１３は、携帯機器２０の周囲の音声（例えばユーザの音声）を入力するための音声入力装置である。スピーカ２１５は、ユーザや携帯機器２０の周囲へ音声を出力する音声出力装置である。
【００４１】
撮像部２１６は、撮像素子や撮影レンズなどを備える撮影ユニットを含み、被写体を撮像する。
【００４２】
通信ユニット２１７は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信や、人体を介した人体通信、および無線通信などを用いることができる。本実施形態において、通信ユニット２１７は、アンテナ２１８と、アンテナ２１８を用いて近接通信を行う通信制御部２１９とを備える。本実施形態では、通信制御部２１９は、アンテナ２１８，１２５を介して撮像装置１０の通信制御部１２６と通信し、記憶部２０８に記憶されているＧＰＳ関連データ（アルマナックデータ及びエフェメリスデータ等）や、位置検出部２０７から取得した位置情報を撮像装置１０に送信する。
【００４３】
角速度センサ２２０は、携帯機器２０の角速度を検出し、制御部２３０に出力する。
【００４４】
方位センサ２２１は、携帯機器２０の外部からの磁気を検出し、撮像部２１６が向けられている方位を求めるものである。方位センサ２２１により求められた方位の情報は、制御部２３０に入力され、制御部２３０の指示の下、ディスプレイ２０１に表示されたり、また、静止画、動画の各画像データとともに記憶部２１１に保存されたりする。
【００４５】
記憶部２１１は、例えば、不揮発性の半導体メモリやハードディスクである。記憶部２１１は、撮像部２１６が撮像した静止画、動画の各画像データや、位置検出部２０７が測位に使用するＧＰＳ関連データ（アルマナックデータ及びエフェメリスデータ等）を記憶する。
【００４６】
制御部２３０は、ＣＰＵ、ＲＡＭ、ＲＯＭ等を備え、携帯機器２０全体を制御する。例えば、制御部２３０は、撮像装置１０からの要求に応じて、記憶部２１１に記憶されているＧＰＳ関連データや、位置検出部２０７が検出した携帯機器２０の位置情報を、通信制御部２１９を介して撮像装置１０へ送信する。
【００４７】
次に、電子機器システム５００において実行される、携帯機器２０と撮像装置１０との連携処理について説明する。図２は、携帯機器２０と連携するために撮像装置１０の制御部１４０が実行する処理の一例を示すフローチャートである。なお、図２の処理の前提として、撮像装置１０と、撮像装置１０と連携する携帯機器２０とは、装置固有の識別情報（例えば、ＩＰアドレス）をやり取りすることで、ペアリングされている（連携可能な状態になっている）ものとする。また、図２の処理は、撮像装置１０のメインスイッチ（電源）がオフされており、かつ、ユーザが撮像装置１０を保持していないときに開始されるものとする。すなわち、図２の処理は、制御部１４０及び加速度センサ１２９に不図示の電源回路から電力が供給されている状態から開始される。
【００４８】
図２の処理では、まず、ステップＳ１０において、制御部１４０は、加速度センサ１２９の出力値に基づいて、ユーザが撮像装置１０を保持したと判断できるまで待機する。ここで、制御部１４０は、加速度センサ１２９の出力値が所定の閾値を超えた場合に、ユーザが撮像装置１０を保持したと判断し、ステップＳ１１に移行する。
【００４９】
ステップＳ１１に移行すると、制御部１４０は、携帯機器２０が所定の範囲内に存在するか否かを判断する。ここで、所定の範囲とは、例えば、ユーザが撮像装置１０とともに携帯機器２０を保持していると判断可能な範囲（撮像装置１０から１ｍの範囲など）であるものとする。制御部１４０は、例えば、通信ユニット１２４，２１７間の通信強度を取得し、該通信強度の強弱に応じて、携帯機器２０が所定の範囲内に存在するか否かを判断することができる。あるいは、撮像装置１０及び携帯機器２０が人体通信部を備える場合には、携帯機器２０との人体通信が成立しているか否かに基づいて、携帯機器２０が所定の範囲内に存在するか否かを判断することとしてもよい。携帯機器２０が所定の範囲内に存在しない場合、ステップＳ１１の判断は否定され、制御部１４０はステップＳ１２に移行する。
【００５０】
ステップＳ１２に移行すると、制御部１４０は、位置検出部１１５が停止している場合には、位置検出部１１５を起動する。なお、位置検出部１１５が既に起動している場合には、制御部１４０は、特に処理を行わない。ここで、位置検出部１１５は、有効なエフェメリスデータが記憶部１１９に記憶されている場合には、数秒程度で測位ができるが、位置検出後所定時間（例えば、１時間半〜４時間）が経過して有効なエフェメリスデータが記憶されていない場合には、測位に数十秒〜数分の時間がかかる。さらに、所定期間（例えば、１週間）が経過して有効なアルマナックデータも記憶部１１９に記憶されていない場合には、測位に十数分の時間がかかる。このため、本実施形態では、携帯機器２０が所定の範囲内に存在しない場合には、制御部１４０は、撮像装置１０を用いた撮像に備えて、ステップＳ１２において予め位置検出部１１５を起動させておくこととしている。位置検出部１１５は、起動直後から測位を開始する。
【００５１】
一方、制御部１４０は、携帯機器２０が所定の範囲内に存在すると判断した場合（ステップＳ１１／ＹＥＳ）、ステップＳ１３に移行する。
【００５２】
ステップＳ１３に移行すると、制御部１４０は、位置検出部１１５が起動している場合には、位置検出部１１５を停止させる。なお、位置検出部１１５が停止している場合には、制御部１４０は、特に処理を行わない。なお、詳細については後述するが、携帯機器２０が所定の範囲内に存在する場合、制御部１４０は、携帯機器２０の記憶部２１１に記憶されたＧＰＳ関連データを取得し、位置検出部１１５は、携帯機器２０から取得された有効なエフェメリスデータを用いて測位を行う。この場合、撮像装置１０の電源がオンされたときに位置検出部１１５を起動すれば、通常、撮像が行われるまでの間に測位を完了することができる。したがって、制御部１４０は、撮像装置１０の電源がオンされるまでは位置検出部１１５への電力の供給を停止している。これにより、撮像装置１０の電源がオフの間に消費される電力を削減することができる。
【００５３】
ステップＳ１２又はＳ１３の後は、ステップＳ１４に移行し、制御部１４０は、撮像装置１０の電源がオンされたか否かを判断する。ここでの判断が否定された場合、制御部１４０は、ステップＳ１５に移行し、制御部１４０は、ユーザが撮像装置１０の保持を終了したか否かを判断する。この場合、制御部１４０は、例えば、加速度センサ１２９の出力値の変動がほとんど無いまま所定時間（例えば、３０秒）が経過した場合に、ユーザが撮像装置１０の保持を終了したと判断する。ここでの判断が否定された場合には、制御部１４０は、ステップＳ１１に戻るが、肯定された場合には、図２の全処理を終了する。
【００５４】
一方、撮像装置１０の電源がオンされた場合（ステップＳ１４／ＹＥＳ）には、制御部１４０は、ステップＳ１６に移行する。なお、撮像装置１０の電源がオンされたタイミングで、不図示の電源回路から位置検出部１１５を含む各部に電力が供給され、位置検出部１１５を含む各部が起動するようになっている。
【００５５】
ステップＳ１６に移行すると、制御部１４０は、撮像装置１０の電源がオンされた時に実行される処理（電源オン時処理）を実行する。具体的には、制御部１４０は、図３のフローチャートに沿った処理を実行する。
【００５６】
図３の処理では、ステップＳ１７において、制御部１４０が、撮像装置１０の電源がオンされた時点で位置検出部１１５が既に起動していたか否かを判断する。ここでの判断が肯定された場合には、ステップＳ２７に移行するが、否定された場合には、ステップＳ１８に移行する。
【００５７】
ステップＳ１８に移行すると、制御部１４０は、ＧＰＳ関連データ（アルマナックデータ，エフェメリスデータ等）及び携帯機器２０の位置情報（緯度、経度）を送信するように、通信ユニット１２４、２１７を介して携帯機器２０の制御部２３０に要求する。なお、要求を受信した制御部２３０は、記憶部２１１に記憶されているＧＰＳ関連データと携帯機器２０の位置情報とを、通信ユニット２１７、１２４を介して制御部１４０に送信する。
【００５８】
次いで、ステップＳ１９では、制御部１４０が、ＧＰＳ関連データ及び位置情報を携帯機器２０から受信したか否かを判断する。ここでの判断が否定された場合、ステップＳ２１に移行する。
【００５９】
ステップＳ２１に移行すると、制御部１４０は、ステップＳ１８の送信要求から所定時間（タイムアウトを示す時間であり、例えば１０秒）が経過したか否かを判断する。ここでの判断が否定された場合には、ステップＳ１９に戻るが、肯定された場合には、ステップＳ２３に移行する。
【００６０】
ステップＳ２３に移行すると、制御部１４０は、表示部１０９に、ＧＰＳ関連データ及び位置情報が受信できない旨を表示する。このとき、位置検出部１１５は、撮像装置１０の記憶部２１１に有効なエフェメリスデータが記憶されている場合には、当該エフェメリスデータを用いた測位を開始すればよい。また、位置検出部１１５は、有効なエフェメリスデータが記憶部２１１に記憶されていない場合には、記憶部２１１に記憶されているアルマナックデータを用いた測位を開始すればよい。
【００６１】
ところで、ステップＳ１８の送信要求から所定時間が経過するまでにＧＰＳ関連データ及び位置情報を携帯機器２０から受信した場合には（ステップＳ１９／ＹＥＳ）、制御部１４０は、ステップＳ２５に移行する。
【００６２】
ステップＳ２５に移行すると、制御部１４０は、受信した携帯機器２０の位置情報（緯度、経度）に基づいて、ホワイトバランスの補正、及び、表示部１０９の表示フレームレートの設定を行う。ここで、ユーザが操作部１１３の操作により、現在の天気（例えば、晴天）に合わせてホワイトバランスの設定を行っていたとする。しかしながら、同じ晴天であっても、緯度により色温度が異なる場合がある。そこで、制御部１４０は、取得した緯度情報と、例えば、予め緯度と補正係数とが紐付けられた補正テーブルとを用いて、ユーザにより設定されたホワイトバランスを補正する。なお、補正テーブルは、記憶部１１９に記憶しておけばよい。また、制御部１４０は、携帯機器２０から取得した位置情報から、その地域の電源周波数（例えば、日本ならば、５０Ｈｚか６０Ｈｚ）を判断し、当該電源周波数に応じて、フリッカーが発生しないように、表示部１０９の表示フレームレートの切り替えを行う。なお、制御部１４０は、不図示の電子ビューファインダーの表示フレームレートの設定を変更してもよい。また、制御部１４０は、動画撮影時にフリッカーが発生しないように、動画撮影のフレームレートの設定を変更してもよい。
【００６３】
次いで、ステップＳ２６では、制御部１４０は、携帯機器２０から受信したＧＰＳ関連データで、撮像装置１０の記憶部２１１に記憶されているＧＰＳ関連データを書き換える。通常、携帯機器２０の電源は常時オンされており、位置検出部２０７は、所定の間隔（例えば、１分毎）で測位を行っている。一方、撮像装置１０の電源は不定期にオンされるものであり、撮像装置１０の電源がオフの間は、通常、位置検出部１１５は測位を行わない。したがって、携帯機器２０から取得したＧＰＳ関連データの方が、記憶部１１９に記憶されているＧＰＳ関連データよりも新しいデータである可能性が高い。そこで、制御部１４０は、携帯機器２０から受信したＧＰＳ関連データで、記憶部２１１に記憶されているＧＰＳ関連データを書き換える。これにより、位置検出部１１５は、記憶部１１９に記憶されていたＧＰＳ関連データよりも新しいＧＰＳ関連データを用いて、測位を開始することができ、測位にかかる時間を短縮することができる。
【００６４】
ステップＳ１７〜Ｓ２６の処理・判断を経て、ステップＳ２７に移行すると、制御部１４０は、ユーザによってレリーズスイッチが半押しされるまで待機する。そして、制御部１４０は、ユーザによってレリーズスイッチが半押しされた段階で、ステップＳ３０に移行する。
【００６５】
ステップＳ３０に移行すると、制御部１４０は、撮像処理を実行する。具体的には、図４のフローチャートに沿った処理を実行する。
【００６６】
図４の処理では、ステップＳ３０１において、制御部１４０は、電源がオンされた後、位置検出部１１５が少なくとも１回の測位を終了しているか否かを判断する。位置検出部１１５が少なくとも１回の測位を終了している場合には（ステップＳ３０１／ＹＥＳ）、制御部１４０は、ステップＳ３０３に移行する。
【００６７】
ステップＳ３０３に移行すると、制御部１４０は、位置情報の取得先を位置検出部１１５とし、ステップＳ３１１に移行する。なお、制御部１４０は、ステップＳ３０３の後に、図３のステップＳ２５と同様の処理（ホワイトバランスの設定、フレームレートの設定）を行うこととしてもよい。
【００６８】
一方、制御部１４０は、位置検出部１１５が測位を終了していない、すなわち、電源がオンされた後１回目の測位中である場合には（ステップＳ３０１／ＮＯ）、ステップＳ３０７に移行する。
【００６９】
ステップＳ３０７に移行すると、制御部１４０は、図２のステップＳ１１と同様に、携帯機器２０が撮像装置１０から所定の範囲内に存在するか否かを判断する。ここでの判断が否定された場合、制御部１４０は、ステップＳ３１１に移行するが、肯定された場合には、ステップＳ３０９に移行する。
【００７０】
ステップＳ３０９に移行すると、制御部１４０は、通信ユニット１２４，２１７を介して携帯機器２０の制御部２３０に位置情報の送信を要求する。なお、ステップＳ３０９の処理は、制御部１４０が、位置情報の取得先を携帯機器２０とする処理であるといえる。送信要求を受信した携帯機器２０の制御部２３０は、通信ユニット２１７，１２４を介して位置検出部２０７で検出した携帯機器２０の位置情報を撮像装置１０の制御部１４０に送信する。
【００７１】
続くステップＳ３１１において、制御部１４０は、レリーズスイッチが全押しされたか否かを判断する。ここでの判断が否定された場合には、制御部１４０は、ステップＳ３１３に移行し、レリーズスイッチの半押しが継続されているか否かを判断する。制御部１４０は、ユーザがレリーズスイッチの半押しをやめた場合には、図４の全処理を終了し、図３のステップＳ３３に移行するが、レリーズスイッチの半押しが継続されている場合、ステップＳ３１１に戻る。そして、レリーズスイッチが全押しされると（ステップＳ３１１／ＹＥＳ）、制御部１４０は、撮像を実行し、ステップＳ３１５に移行する。
【００７２】
ステップＳ３１５に移行すると、制御部１４０は、位置情報を取得できたか否かを判断する。ここでの判断が否定された場合、制御部１４０は、ステップＳ３２１に移行する。ステップＳ３２１に移行すると、制御部１４０は、位置検出部１１５又は携帯機器２０から取得した位置情報を、ステップＳ３１１において撮像された画像の画像データに書き込む（記憶する）。その後は、図４の全処理を終了し、図３のステップＳ３３に移行する。
【００７３】
一方、位置情報が取得できなかった場合（ステップＳ３１５／ＮＯ）、制御部１４０は、ステップＳ３１９に移行する。ステップＳ３１９に移行すると、制御部１４０は、位置情報を取得できない旨を表示部１０９に表示し、図３のステップＳ３３に移行する。
【００７４】
図３に戻り、制御部１４０は、ステップＳ３３に移行すると、撮像装置１０の電源がオフされたか否かを判断する。ここでの判断が否定された場合には、制御部１４０は、ステップＳ２７に戻るが、肯定された場合には、図２のステップＳ１１に移行する。本実施形態では、上述した各処理を制御部１４０が実行することで、撮像装置１０と携帯機器２０との連携が実現されるようになっている。
【００７５】
以上、詳細に説明したように、第１の実施形態によれば、撮像装置１０の制御部１４０が、位置検出部１１５が備える機能を発揮可能な携帯機器２０が所定の範囲内に存在するか否かを判定し（Ｓ１１）、所定の範囲内に存在する場合（電源オン時に位置検出部１１５への電力供給を停止していた場合（Ｓ１３））には、位置検出部１１５に関連する情報（位置情報）の送信を携帯機器２０に要求し（Ｓ１８）、当該位置情報を携帯機器２０から受信し、携帯機器２０から受信した位置情報に基づいて、ホワイトバランスの補正や表示部１０９の表示フレームレートの設定を変更する（Ｓ２５）。これにより、ユーザがホワイトバランスや表示フレームレートの設定を手動で行う必要がないので、ユーザの利便性を向上することができる。
【００７６】
また、本第１の実施形態によれば、制御部１４０は、携帯機器２０が所定の範囲内に存在する場合には、位置検出部１１５に関連する情報（ＧＰＳ関連データ）の送信を携帯機器２０に要求し、受信したＧＰＳ関連データで記憶部１１９のＧＰＳ関連データを書き換える（Ｓ２６）。ここで、常時使用される、すなわち、常時電源がオンされている携帯機器２０の方が、電源がオンされる頻度が低い撮像装置１０よりも、正確な（新しい）ＧＰＳ関連データを有している可能性が高い。したがって、撮像装置１０の位置検出部１１５は、携帯機器２０から取得したＧＰＳ関連データを用いて測位を行うことにより、より早く測位を完了することができる。
【００７７】
また、本第１の実施形態によれば、制御部１４０は、ユーザが電源がオフの撮像装置１０を保持したときに、携帯機器２０が撮像装置１０から所定の範囲内に存在していた場合（Ｓ１１／ＹＥＳ）には、位置検出部１１５への電力供給が行われない（Ｓ１３）ようになっているので、撮像装置１０の電源がオンされていない間の消費電力を低減することができる。
【００７８】
また、本第１の実施形態では、制御部１４０は、撮像装置１０の電源がオンされたときに、位置検出部１１５に関連する情報（ＧＰＳ関連データ）の送信を携帯機器２０に要求し（Ｓ１８）、受信したＧＰＳ関連データで記憶部１１９のＧＰＳ関連データを書き換える（Ｓ２６）。これにより、撮像装置１０の電源がオンされ、位置検出部１１５への電力供給が開始された場合に、位置検出部１１５は、携帯機器２０から受信した最新のＧＰＳ関連データを用いて測位を開始することができる。このため、撮像装置１０の電源がオンされた後に位置検出部１１５が１回目の測位を終了するまでの時間を短縮することができる。
【００７９】
また、本第１の実施形態によれば、制御部１４０は、ユーザがレリーズスイッチを半押した場合（Ｓ２７／ＹＥＳ）に、携帯機器２０に位置情報の送信を要求する（Ｓ３０９）。これにより、例えば、位置検出部１１５が測位中であっても、制御部１４０は、携帯機器２０から取得した位置情報を、撮像された画像の画像データに書き込むことができる。
【００８０】
（変形例１）
上記第１の実施形態では、撮像装置１０の制御部１４０は、携帯機器２０から受信した位置情報に基づいて、ホワイトバランスの補正を行っていたが、撮像装置１０は、携帯機器２０から色温度情報を受信して、当該情報に基づいて、ホワイトバランスの設定を行ってもよい。なお、本変形例１において、携帯機器２０は、屋外の競技場、体育館等の競技会場、または、イベントホール等において、会場の照明の色温度情報を、会場の入口付近に設置された情報端末から、有線または無線通信や、近接通信により取得して、記憶部２１１に記憶しているものとする。なお、競技会やイベントの主催者が会場の色温度情報をウェブサイト等を通じて提供している場合には、携帯機器２０は、インターネット等を介して当該ウェブサイトに接続し、会場の色温度情報を取得してもよい。
【００８１】
図５は、撮像装置１０の制御部１４０が実行する、変形例１に係る連携処理の一例を示すフローチャートである。
【００８２】
図５の処理では、まず、ステップＳ２０１において、制御部１４０は、撮像装置１０の電源がオンされるまで待機している。そして、撮像装置１０の電源がオンされた段階で、ステップＳ２０１の判断が肯定され、制御部１４０は、ステップＳ２０３に移行する。
【００８３】
ステップＳ２０３に移行すると、制御部１４０は、携帯機器２０が所定の範囲内に存在するか否かを判断する。ここでの判断が否定された場合、制御部１４０は、図６の処理を終了する。一方、ここでの判断が肯定された場合、制御部１４０は、ステップＳ２０５に移行する。
【００８４】
ステップＳ２０５に移行すると、制御部１４０は、携帯機器２０に、色温度情報の送信を要求する。送信要求を受けた携帯機器２０は、記憶部２１１に記憶されている色温度情報を、撮像装置１０に送信する。
【００８５】
続くステップＳ２０７において、制御部１４０は、色温度情報を携帯機器２０から受信したか否かを判断する。ここでの判断が否定された場合、制御部１４０は、ステップＳ２０９に移行する。
【００８６】
ステップＳ２０９に移行すると、制御部１４０は、所定時間（例えば、１０秒）が経過したか否かを判断する。所定時間が経過していない場合、制御部１４０は、ステップＳ２０７に戻るが、所定時間が経過した場合、ステップＳ２１１に移行する。
【００８７】
ステップＳ２１１に移行すると、制御部１４０は、表示部１０９に、色温度情報が受信できない旨を表示し、図６の全処理を終了する。
【００８８】
一方、所定時間内に色温度情報を受信した場合（ステップＳ２０７／ＹＥＳ）、制御部１４０は、ステップＳ２１３に移行する。
【００８９】
ステップＳ２１３に移行すると、制御部１４０は、携帯機器２０から受信した色温度情報に基づいて、ホワイトバランスの設定を行い、図６の処理を終了する。
【００９０】
以上説明したように、変形例１によれば、撮像装置１０の制御部１４０は、携帯機器２０が所定の範囲内に存在するか否かを判定し、携帯機器２０が所定の範囲内に存在する場合に、撮像に関連する情報（色温度情報）の送信を携帯機器２０に要求し、携帯機器２０から受信した色温度情報に基づいて、ホワイトバランスの設定を変更するので、ユーザがマニュアルで色温度情報を入力する必要がなく、ユーザの利便性が向上する。また、受信した色温度情報に基づいて、ホワイトバランスの設定が自動でなされるため、ユーザはホワイトバランスの設定を手動で行う必要がなく、ユーザの利便性が向上する。
【００９１】
（変形例２）
上記第１の実施形態では、制御部１４０は、携帯機器２０からＧＰＳ関連データが受信できた場合、無条件に、受信したＧＰＳ関連データで撮像装置１０のＧＰＳ関連データを書き換えていたが、制御部１４０は、携帯機器２０から受信した情報と、撮像装置１０内の情報とが大きく異なる場合に、撮像装置１０内の情報を書き換えるようにしてもよい。
【００９２】
図６は、撮像装置１０の制御部１４０が実行する、変形例２に係る連携処理の一例を示すフローチャートである。
【００９３】
図６の処理では、まず、ステップＳ１０１において、制御部１４０は、撮像装置１０の電源がオンされるまで待機している。そして、撮像装置１０の電源がオンされた段階で、ステップＳ１０１の判断が肯定され、制御部１４０は、ステップＳ１０３に移行する。
【００９４】
ステップＳ１０３に移行すると、制御部１４０は、携帯機器２０が所定の範囲内に存在するか否かを判断する。ここでの判断が否定された場合、制御部１４０は、図６の処理を終了する。一方、ここでの判断が肯定された場合、制御部１４０は、ステップＳ１０５に移行する。
【００９５】
ステップＳ１０５に移行すると、制御部１４０は、携帯機器２０に、携帯機器２０の位置情報及び携帯機器２０のカレンダ部２０９が示す日時情報の送信を要求する。
【００９６】
続くステップＳ１０７において、制御部１４０は、上記の位置情報及び日時情報を携帯機器２０から受信したか否かを判断する。ここでの判断が否定された場合、制御部１４０は、ステップＳ１０９に移行する。
【００９７】
ステップＳ１０９に移行すると、制御部１４０は、所定時間（例えば、１０秒）が経過したか否かを判断する。所定時間が経過していない場合、制御部１４０は、ステップＳ１０７に戻るが、所定時間が経過した場合、ステップＳ１１１に移行する。
【００９８】
ステップＳ１１１に移行すると、制御部１４０は、表示部１０９に、位置情報及び日時情報が受信できない旨を表示し、図６の全処理を終了する。
【００９９】
一方、所定時間内に位置情報及び日時情報を受信した場合（ステップＳ１０７／ＹＥＳ）、制御部１４０は、ステップＳ１１３に移行する。
【０１００】
ステップＳ１１３に移行すると、制御部１４０は、携帯機器２０から受信した位置情報と、位置検出部１１５から取得した位置情報の差が所定値以上（例えば、経度で４０秒以上（約１ｋｍ）又は緯度で３３秒以上（約１ｋｍ））か否かを判断する。ここでの判断が肯定された場合、制御部１４０は、ステップＳ１１５に移行する。
【０１０１】
ステップＳ１１５に移行すると、制御部１４０は、携帯機器２０からＧＰＳ関連データ（アルマナックデータ及びエフェメリスデータ等）を取得し、記憶部１１９に記憶されているＧＰＳ関連データを、携帯機器２０のＧＰＳ関連データで書き換える。前述したように、携帯機器２０の方が、撮像装置１０よりも、正確な位置情報を有している可能性が高い。したがって、撮像装置１０の位置情報と、携帯機器２０の位置情報とが所定値以上異なる場合には、携帯機器２０のＧＰＳ関連データで撮像装置１０内のＧＰＳ関連データを自動的に書き換えることで、ユーザに特別な操作を強いることなく、正確なＧＰＳ関連データを撮像装置１０に設定することができる。
【０１０２】
ところで、ステップＳ１１３の判断が否定された場合には、制御部１４０は、ステップＳ１１５の処理を行わず、ステップＳ１１７に移行する。
【０１０３】
ステップＳ１１７に移行すると、制御部１４０は、携帯機器２０から受信した日時情報と、カレンダ部１１７から取得した日時情報との差が、所定値以上（例えば、１０分以上）であるか否かを判断する。ここでの判断が肯定された場合、制御部１４０は、ステップＳ１１９に移行する。
【０１０４】
ステップＳ１１９に移行すると、制御部１４０は、撮像装置１０の日時情報を、携帯機器２０から取得した日時情報で書き換え、図６の処理を終了する。位置情報と同様、携帯機器２０の方が、撮像装置１０よりも正確な日時情報を有している可能性が高い。したがって、撮像装置１０の日時情報と、携帯機器２０の日時情報とが所定値以上異なる場合には、携帯機器２０から取得した日時情報で撮像装置１０内の日時情報を自動的に書き換えることで、ユーザに特別な操作を強いることなく、正確な日時情報を撮像装置１０に反映することができ、ユーザの利便性が高まる。
【０１０５】
一方、ステップＳ１１７の判断が否定された場合には、制御部１４０は、ステップＳ１１９の処理を行わず、図６の処理を終了する。
【０１０６】
このように、変形例２によれば、撮像装置１０の制御部１４０は、位置検出部１１５及びカレンダ部２０９が備える機能を発揮可能な携帯機器２０が所定の範囲内に存在する場合に、位置検出部１１５及びカレンダ部２０９に関連する情報（位置情報、日時情報）の送信を携帯機器２０に要求し、受信した位置情報及び日時情報に基づき、撮像装置１０内の情報（ＧＰＳ関連データ、日時情報）の書き換えが必要か否かを判断し、必要と判断した場合には、書き換えを行う。これにより、上述したように、撮像装置１０の位置情報及び日時情報と、携帯機器２０の位置情報及び日時情報とが大きく異なる場合には、携帯機器２０のＧＰＳ関連データ及び日時情報で撮像装置１０内の情報を自動的に書き換えることで、ユーザに特別な操作を強いることなく、正確なＧＰＳ関連データ及び日時情報を撮像装置１０に反映することができ、ユーザの利便性が高まる。
【０１０７】
《第２の実施形態》
次に、第２の実施形態に係る情報処理システムついて、図７〜図１０に基づき詳細に説明する。図７には、第２の実施形態に係る情報処理システム６００の構成が示されている。図７に示すように、情報処理システム６００は、撮像装置１０、携帯機器２０、パーソナルコンピュータ（以下、ＰＣと略記する）３０と、サーバ５０と、を備える。
【０１０８】
第２の実施形態において、撮像装置１０及び携帯機器２０の構成は、制御部１４０及び制御部２３０が実行する処理を除き、第１の実施形態（図１参照）と同一であるため、詳細な説明を省略する。
【０１０９】
ＰＣ３０は、ＣＰＵ、ＲＡＭ、ＲＯＭ等を備え、ＲＯＭに格納されたプログラムをＣＰＵで実行することによって、各種機能を実現する。また、ＰＣ３０は、通信部を備え、有線／無線通信によりインターネット等のネットワーク４０を介してサーバ５０と通信する。また、ＰＣ３０は、例えば、ＬＣＤ等の表示装置を備える。また、ＰＣ３０は、例えば、ＵＳＢ（Universal Serial Bus）等によって撮像装置１０と接続可能であり、撮像装置１０内に記録されている画像データを取得する。
【０１１０】
サーバ５０は、ＣＰＵ、ＲＡＭ、ＲＯＭ等を備える。本実施形態において、サーバ５０は、ソーシャルネットワークサービス（以後、ＳＮＳと略記する）を提供するためのサーバであり、ＳＮＳサイトを運営する会社内に設置されているものとする。
【０１１１】
次に、第２の実施形態に係る情報処理システム６００における、撮像装置１０と携帯機器２０との連携処理について説明する。
【０１１２】
図８は、撮像装置１０の制御部１４０が実行する連携処理の一例を示すフローチャートである。図８の処理は、撮像装置１０の電源がオンされると開始される。
【０１１３】
図８の処理では、ステップＳ５０１において、制御部１４０は、レリーズスイッチが全押しされるまで待機している。そして、レリーズスイッチが全押しされた段階で、ステップＳ５０１の判断が肯定され、制御部１４０は、撮像を実行し、ステップＳ５０３に移行する。
【０１１４】
ステップＳ５０３に移行すると、制御部１４０は、携帯機器２０が所定の範囲内に存在するか否かを判断する。ここでの判断が否定された場合、制御部１４０は、ステップＳ５１１に移行するが、肯定された場合には、ステップＳ５０５に移行する。
【０１１５】
ステップＳ５０５に移行すると、制御部１４０は、携帯機器２０が撮像した画像の送信を要求する。ここで、制御部１４０は、例えば、携帯機器２０が撮像した画像のうち、メタデータを比較して現在時刻から所定の時間内（例えば、１０分以内）に撮影された画像を送信するように、携帯機器２０に要求してもよいし、メタデータを比較して現在位置から所定の距離内（例えば、１０ｍ）で撮影された画像を送信するように、携帯機器２０に要求してもよい。要求を受け付けた携帯機器２０は、該当する画像の画像データを撮像装置１０に送信する。ここで、携帯機器２０は、画像データを圧縮して送信することが望ましい。ただし、撮像装置１０との間の通信の通信速度や、撮像装置１０内の記憶部１１９の容量が十分に確保されている場合には、携帯機器２０は、画像データを圧縮せずにそのまま送信してもよい。
【０１１６】
続くステップＳ５０６において、制御部１４０は、携帯機器２０から携帯機器２０が撮像した画像の画像データを受信する。
【０１１７】
続くステップＳ５０７において、制御部１４０は、携帯機器２０から受信した画像のうち、所定の条件を満たす画像が存在するか否かを判断する。例えば、制御部１４０は、周知の画像認識技術を用い、携帯機器２０から受信した画像において、撮像装置１０で撮像した画像と被写体が同一である画像が存在するか否かを判断する。あるいは、制御部１４０は、携帯機器２０から受信した画像の画像データに含まれる方位情報が、方位センサ１２８から取得した方位情報と一致する画像が、携帯機器２０から受信した画像内に存在するか否かを判断する。ここでの判断が否定された場合には、制御部１４０は、ステップＳ５１１に移行するが、肯定された場合には、制御部１４０は、ステップＳ５０９に移行する。
【０１１８】
ステップＳ５０９に移行すると、制御部１４０は、撮像した画像と、ステップＳ５０７において所定の条件を満たすと判断された画像とを紐付けて記憶部１１９に保存する。なお、ユーザが所定の時間（例えば、１分）内に連続して撮像を行った場合、すなわち、複数回レリーズスイッチが全押しされた場合には、最初にレリーズスイッチが全押しされた時にステップＳ５０５及びステップＳ５０６の処理を行い、すなわち、携帯機器２０から画像データを取得し、その後は、ステップＳ５０５及びステップＳ５０６の処理を省略して、ステップＳ５０１〜ステップＳ５１１の処理を行ってもよい。
【０１１９】
続くステップＳ５１１において、制御部１４０は、撮像装置１０の電源がオフされたか否かを判断する。ここでの判断が否定された場合には、ステップＳ５０１に戻り、肯定された場合には、制御部１４０は、図８の全処理を終了する。
【０１２０】
このようにして、携帯機器２０で撮像した画像と、撮像装置１０で撮像した画像とを撮像装置１０内で紐付けておくことによって、携帯機器２０で撮像されＳＮＳサイトにアップロードされた画像を、簡単に、撮像装置１０で撮像した画像に差替えることが可能となる。例えば、ユーザは、携帯機器２０で撮像した画像の色味やコントラストに不満がある場合、ＳＮＳサイトの画像と撮像装置１０で撮像した画像との差替えを行う。同一の被写体を撮像した場合でも、撮像部の特性によって、携帯機器２０で撮像した画像と、撮像装置１０で撮像した画像とでは、色味やコントラストが異なることがあるからである。あるいは、ユーザは、携帯機器２０において低い解像度で撮像を行ってしまった場合や、携帯機器２０で夜景を撮像したが手ブレの影響で希望通りの画像が撮像できていない場合に、ＳＮＳサイトの画像を携帯機器２０よりも撮像性能の高い撮像装置１０で撮像した画像に差替える。以下、この点について説明する。
【０１２１】
図９は、ＰＣ３０が実行する、携帯機器２０で撮像されＳＮＳサイトにアップロードされた画像を、撮像装置１０で撮像した画像に差替える処理の一例を示すフローチャートである。なお、図９の処理は、図７に示すように、ユーザが撮像装置１０とＰＣ３０とを接続し、ＳＮＳサイトにアクセスすると開始されるものとする。
【０１２２】
図９の処理では、まず、ステップＳ４０１において、ＰＣ３０は、撮像装置１０の記憶部１１９に記憶されている画像の画像データを取得する。
【０１２３】
続くステップＳ４０３において、ＰＣ３０は、ユーザが閲覧しているＳＮＳサイトのウェブページ内に表示されている画像を取得する。このとき、ウェブページ内に表示されている画像は、携帯機器２０で撮像され、ＳＮＳサイトにアップロードされた画像であるものとする。
【０１２４】
続くステップＳ４０５において、ＰＣ３０は、撮像装置１０から取得した画像の中に、ステップＳ４０３で取得した画像と紐付けられている画像が存在するか否かを判断する。ここでの判断が肯定された場合、ＰＣ３０は、ステップＳ４０７に移行する。
【０１２５】
ステップＳ４０７に移行すると、ＰＣ３０は、例えば、図１０に示すように、ページ内の画像と紐付けられている撮像装置１０で撮像された画像を、差替え候補として表示する。図１０の画面では、左側の画面Ｌ１０にＳＮＳサイトのページが表示されており、右側の画面Ｒ１０に、当該ページ内に表示されている画像Ｐ１，Ｐ２と紐付けられている撮像装置１０が撮像した画像Ｐ１１，Ｐ２１〜Ｐ２３が表示されている。
【０１２６】
続くステップＳ４０９において、ＰＣ３０は、図１０の画面において、右側の画面Ｒ１０に表示されている画像Ｐ１１，Ｐ２１〜Ｐ２３の中から、いずれかの画像がユーザにより選択されたか否かを判断する。例えば、ＰＣ３０は、差替え候補の画像（例えば、画像Ｐ２２）が、ＳＮＳサイトのページ内の画像（画像Ｐ２）上にドラッグアンドドロップされた場合に、差替え候補の画像がユーザにより選択されたと判断する。ここでの判断が肯定された場合には、ＰＣ３０は、ステップＳ４１１に移行し、選択された画像の画像データをサーバ５０に送信する。サーバ５０は、ページ内に表示されている画像（例えば、画像Ｐ２）を、ＰＣ３０から受信した画像（例えば、画像Ｐ２２）に差替える。
【０１２７】
ところで、ステップＳ４０９において、画像がユーザにより選択されていない場合には、ＰＣ３０は、ステップＳ４１３に移行する。
【０１２８】
ステップＳ４１３に移行すると、ＰＣ３０は、ユーザが、ＳＮＳサイト内の別のページに移動したか否かを判断する。ここでの判断が肯定された場合には、ステップＳ４０３に戻るが、否定された場合には、ステップＳ４１５に移行する。
【０１２９】
ステップＳ４１３に移行すると、ＰＣ３０は、ユーザがＳＮＳサイトの閲覧を終了したか否かを判断する。ここでの判断が否定された場合には、ステップＳ４０９に戻るが、肯定された場合には、ＰＣ３０は、図９の全処理を終了する。
【０１３０】
以上、説明したように、第２の実施形態によれば、撮像装置１０の制御部１４０は、撮像部（レンズ部１０２，撮像素子１０５等）が備える機能を発揮可能な携帯機器２０が所定の範囲内に存在するか否かを判断し、携帯機器２０が所定の範囲内に存在する場合には、撮像部（レンズ部１０２，撮像素子１０５等）に関連する情報として、携帯機器２０が撮像した画像の画像データを携帯機器２０から受信し、撮像装置１０が撮像した画像と携帯機器２０が撮像した画像とを関連付けて記憶部１１９に記憶するので、携帯機器２０で撮像されＳＮＳサイトのページ等にアップロードされた画像の、撮像装置１０で撮像した画像への差替えを効率よく行うことが可能となり、ユーザの利便性が向上する。
【０１３１】
なお、上記第２の実施形態において、制御部１４０は、図８のフローチャートにおいて、撮像装置１０が撮像した画像を周知の画像解析技術を使用して解析し、当該画像が人物を含む画像や、ピントが合っていない画像や、手ブレしている画像等である場合には、携帯機器２０が撮像した画像との紐付けを行わないようにしてもよい。
【０１３２】
また、上記第２の実施形態においては、制御部１４０は、撮像装置１０のレリーズスイッチが全押しされたタイミングで、撮像装置１０が撮像した画像と、携帯機器２０が撮像した画像との紐付けを行っていたが、これに限られるものではない。例えば、携帯機器２０がＳＮＳサイトに画像をアップロードしたタイミングで、携帯機器２０がアップロードされた画像の画像データを撮像装置１０に送信し、撮像装置１０の制御部１４０が紐付け処理を行ってもよい。または、撮像装置１０が、記憶部１１９に記憶されている画像データを携帯機器２０に送信して、携帯機器２０の制御部２３０が携帯機器２０内で紐付け処理を行ってもよい。
【０１３３】
また、上記第２の実施形態において、ＰＣ３０は、図９のフローチャートのステップＳ４０７及びステップＳ４０９の処理を行わずに、自動的に、ＳＮＳサイトのページ内に表示された画像に紐付けられた画像（撮像装置１０で撮像）をサーバ５０に送信するようにしてもよい。
【０１３４】
上述した実施形態は本発明の好適な実施の例である。但し、これに限定されるものではなく、本発明の要旨を逸脱しない範囲内において種々変形実施可能である。
【符号の説明】
【０１３５】
１０  撮像装置
２０  携帯機器
１１５  位置検出部
１１９  記憶部
１２６  通信制御部
１４０  制御部
【図１】
2015043533.tif 000003
【図２】
2015043533.tif 000004
【図３】
2015043533.tif 000005
【図４】
2015043533.tif 000006
【図５】
2015043533.tif 000007
【図６】
2015043533.tif 000008
【図７】
2015043533.tif 000009
【図８】
2015043533.tif 000010
【図９】
2015043533.tif 000011
【図１０】
2015043533.tif 000012